(57)【要約】【課題】光ディスクドライブのモータ等に負荷をかけたり光ディスクの信号面を傷つけることなく、簡素な構成にてピックアップの対物レンズに異物が付着するのを防止する。【解決手段】光ディスクドライブのピックアップ１１を光ディスク１２の外径よりも外側の所定位置（矢印Ａ位置）へ移動可能に形成する。この所定位置にピックアップ１１の対物レンズ１３を被蔽するためのカバー１５を設置する。該カバー１５はピックアップ１１に対峙して設けられ、該カバーの先端部１５ｂをピックアップ１１側へ揺動可能にし、カバーの他端部に作動片１５ｃを突設する。また、ピックアップ１１に接触片１６を突設し、ピックアップ１１が所定位置へ移動したときに、接触片１６がカバーの作動片１５ｃを押圧してカバーの先端部１５ｂをピックアップ１１側へ揺動させ、カバーの先端部１５ｂにて対物レンズ１３を被蔽する。【選択図】　図４
2004118919.tif 000002
【特許請求の範囲】
【請求項１】
光ビームを光ディスクの信号面上に収束させる対物レンズを備えたピックアップを有し、該ピックアップを光ディスクの径方向へ移動自在に設けた光ディスクドライブに於いて、前記ピックアップを光ディスクの外径よりも外側の所定位置へ移動可能に形成し、該所定位置に前記対物レンズを被蔽するカバーを設置したことを特徴とする光ディスクドライブ。
【請求項２】
上記カバーは上記所定位置のピックアップに対峙して設けられ、該カバーの先端部をピックアップ側へ揺動可能に形成した請求項１記載の光ディスクドライブ。
【請求項３】
上記カバーには、揺動支点の上記先端部とは反対方向へ作動片を突設するとともに、該作動片を上記ピックアップ側へ屈曲させた請求項１または２記載の光ディスクドライブ。
【請求項４】
上記カバーは可撓性部材にて形成された請求項１，２または３記載の光ディスクドライブ。
【請求項５】
上記ピックアップに接触片を突設し、ピックアップが所定位置へ移動したときに、該接触片が上記カバーの作動片を押圧してカバーの先端部をピックアップ側へ揺動させ、該カバーの先端部にて上記対物レンズを被蔽するように構成した請求項１，２，３または４記載の光ディスクドライブ。
【発明の詳細な説明】
【０００１】
【発明の属する技術分野】
本発明は光ディスクドライブに関するものであり、特に光ピックアップに於ける対物レンズの異物付着防止装置に関するものである。
【０００２】
【従来の技術】
従来、此種光ディスクドライブに於ける対物レンズの異物付着防止装置としては、ピックアップを装着した光学ヘッド基台のラックに送り歯車の歯を噛合させ、モータの駆動により送り歯車を回転させて光学ヘッド基台を往復させるように光記録再生装置を構成し、前記送り歯車にシャッタを取り付けて一体的に回転できるようにし、光学ヘッド基台上のピックアップが最内周の所定位置に移動するときに、送り歯車の回転により前記シャッタが回転して所定位置に移動したピックアップの対物レンズを被うように形成したものが知られている（例えば、特許文献１参照）。
【０００３】
【特許文献１】
特開２０００−５７６２０号公報（第１頁〜６頁、図１〜図４）
【０００４】
【発明が解決しようとする課題】
特許文献１記載の対物レンズの異物付着防止装置は、光学ヘッド基台が移動するときに送り歯車の回転とともにシャッタも回転するため、送り歯車の回転開始時及び回転停止時に於ける慣性力が大きく、光学ヘッド基台の移動及び停止を円滑に制御するためにモータにかかる負荷が大きかった。また、光ディスクの信号面に接近した位置でシャッタが回転するため、誤って光ディスクの信号面を傷つける虞がある。
【０００５】
そこで、光ディスクドライブのモータ等に負荷をかけたり光ディスクの信号面を傷つけることなく、簡素な構成にてピックアップの対物レンズに異物が付着するのを防止するために解決すべき技術的課題が生じてくるのであり、本発明はこの課題を解決することを目的とする。
【０００６】
【課題を解決するための手段】
本発明は上記目的を達成するために提案されたものであり、光ビームを光ディスクの信号面上に収束させる対物レンズを備えたピックアップを有し、該ピックアップを光ディスクの径方向へ移動自在に設けた光ディスクドライブに於いて、前記ピックアップを光ディスクの外径よりも外側の所定位置へ移動可能に形成し、該所定位置に前記対物レンズを被蔽するカバーを設置した光ディスクドライブ、
及び、上記カバーは上記所定位置のピックアップに対峙して設けられ、該カバーの先端部をピックアップ側へ揺動可能に形成した光ディスクドライブ、
及び、上記カバーには、揺動支点の上記先端部とは反対方向へ作動片を突設するとともに、該作動片を上記ピックアップ側へ屈曲させた光ディスクドライブ、
及び、上記カバーは可撓性部材にて形成された光ディスクドライブ、
及び、上記ピックアップに接触片を突設し、ピックアップが所定位置へ移動したときに、該接触片が上記カバーの作動片を押圧してカバーの先端部をピックアップ側へ揺動させ、該カバーの先端部にて上記対物レンズを被蔽するように構成した光ディスクドライブを提供するものである。
【０００７】
【発明の実施の形態】
以下、本発明の一実施の形態を図面に従って詳述する。図１及び図２は光ディスクドライブの光学ヘッド基台１０部分を示し、この光学ヘッド基台１０にはピックアップ１１が装着されている。ピックアップ１１は光ビームを光ディスク１２の信号面上に収束させるための対物レンズ１３を有しており、前記光学ヘッド基台１０と一体にガイドレール１４に沿って光ディスク１２の径方向へ移動自在に設けられている。
【０００８】
該ピックアップ１１は、二点鎖線で示すように、光ディスク１２の外径よりも外側の所定位置（矢印Ａ位置）へ移動可能に形成され、この所定位置近傍に前記対物レンズ１３を被蔽するカバー１５を設置してある。このカバー１５は所定位置のピックアップ１１の上方に対峙して設けられ、後述するように、揺動支点１５ａを中心に該カバー１５の先端部１５ｂがピックアップ１１側へ揺動できるように形成されている。また、ピックアップ１１には光ディスク１２の外径方向に接触片１６を突設してある。
【０００９】
尚、符号１７は光ディスク１２が載置されるターンテーブルであり、モータ１８によって回転駆動される。また、前記光学ヘッド基台１０のラック１９にはギヤ２０が噛合しており、送り用モータ（図示せず）によってギヤ２０が回転駆動されると、ラック１９が図中左右いずれかの方向へ押されて、光学ヘッド基台１０がガイドレール１４に沿って移動し、光学ヘッド基台１０と一体にピックアップ１１が光ディスク１２の径方向へ移動する。
【００１０】
一方、前記カバー１５には、揺動支点１５ａの前記先端部１５ｂとは反対方向へ作動片１５ｃを突設するとともに、この作動片１５ｃを前記ピックアップ１１側へ屈曲させて、側面視が大略へ字形になっている。更に、作動片１５ｃの先端部を前記ピックアップ１１とは反対側へ折り返して機械的強度を確保してある。また、該カバー１５はバネ材や合成樹脂等の可撓性材料が使用され、後述するように、先端部１５ｂがピックアップ１１に接触したときに、該カバー１５が屈曲してピックアップ１１の上面に密着するように形成されている。
【００１１】
而して、当該光ディスクドライブが非プレイ状態となったときは、前記ピックアップ１１を光ディスク１２の外径よりも外側の所定位置（矢印Ａ位置）へ移動させるべく、前記ギヤ２０が回転駆動されてラック１９を図中左方向へ押し、光学ヘッド基台１０とピックアップ１１がガイドレール１４に沿って光ディスク１２の外径方向へ移動する。
【００１２】
そして、図３に示すように、前述した所定位置（矢印Ａ位置）よりも僅かに光ディスク１２の内径側の位置（矢印Ｂ位置）まで前記ピックアップ１１が移動したとき、ピックアップ１１の上部外側に突設された前記接触片１６が前記カバーの作動片１５ｃに接触し、該作動片１５ｃを光ディスク１２の外径方向へ押圧する。更に、前記ピックアップ１１が光ディスク１２の外径方向へ移動すれば、前記カバーの作動片１５ｃがピックアップ１１の接触片１６によって上方へ押し上げられる。
【００１３】
斯くして、図４に示すように、前述した所定位置（矢印Ａ位置）に前記ピックアップ１１が移動したときは、前記カバーの作動片１５ｃが押し上げられるために、揺動支点１５ａを中心にカバー１５が図中時計回りに回動する。従って、カバーの先端部１５ｂがピックアップ１１側に揺動してピックアップ１１の上面に接触する。前述したように、該カバー１５は可撓性材料にて形成されているため、カバーの先端部１５ｂがピックアップ１１に接触したときに、カバーの先端部１５ｂが屈曲してピックアップ１１の上面に密着し、前記対物レンズ１３を被蔽する。従って、光ディスクドライブが非プレイ状態となったときは、前記対物レンズ１３がカバー１５によって完全に被蔽されるため、塵埃等が付着する虞はない。
【００１４】
尚、本発明は、本発明の精神を逸脱しない限り種々の改変を為すことができ、そして、本発明が該改変されたものに及ぶことは当然である。
【００１５】
【発明の効果】
本発明は上記一実施の形態に詳述したように、請求項１記載の発明は、光ディスクドライブのピックアップを光ディスクの外径よりも外側の所定位置へ移動可能にし、この所定位置にカバーを設けてピックアップの対物レンズを被蔽するように形成したので、光ディスクドライブの非プレイ時にピックアップの対物レンズに塵埃等が付着する虞はない。また、該カバーは光ディスクの外径よりも外側の所定位置に設けられているので、光ディスクドライブのプレイ時にカバーが移動することがなく、光ディスクドライブのモータ等に負荷をかけたり光ディスクの信号面を傷つける虞はない。従って、簡素な構成にて確実に対物レンズを保護することができ、機械の信頼性を向上できるとともにコストダウンにも寄与できる。
【００１６】
請求項２記載の発明は、上記カバーは所定位置に移動したピックアップに対峙して設けられ、且つ、カバーの先端部がピックアップ側へ揺動可能であるため、請求項１記載の発明の効果に加えて、該カバーが対物レンズを確実に被蔽できる。
【００１７】
請求項３記載の発明は、上記カバーには作動片が設けられ、該作動片がピックアップ側へ屈曲されているので、請求項１または２記載の発明の効果に加えて、ピックアップが所定位置に移動したときにこの作動片に接触するように構成すれば、該カバーを確実に揺動させてその先端部にてピックアップの対物レンズを被蔽することができる。
【００１８】
請求項４記載の発明は、上記カバーは可撓性部材にて形成されたことにより、カバーの先端部がピックアップ側へ揺動したときに該カバーが屈曲してピックアップの上面に密着するので、請求項１，２または３記載の発明の効果に加えて、該カバーとピックアップの上面との間に隙間がなくなり、ピックアップの対物レンズを完全に被蔽することができる。
【００１９】
請求項５記載の発明は、上記ピックアップに接触片を突設し、ピックアップが所定位置に移動したときにこの接触片が上記カバーの作動片を押圧するように構成したので、請求項３記載の発明と同様の効果を奏する。
【図面の簡単な説明】
図は本発明の一実施の形態を示すものである。
【図１】光ディスクドライブがプレイ状態での光学ヘッド基台部分を示す平面図。
【図２】光ディスクドライブがプレイ状態での光学ヘッド基台部分を示す側面図。
【図３】光ディスクドライブが非プレイ時になりピックアップが移動している状態での光学ヘッド基台部分を示す側面図。
【図４】光ディスクドライブが非プレイ時になりピックアップが所定位置に移動した状態での光学ヘッド基台部分を示す側面図。
【符号の説明】
１０　　　　光学ヘッド基台
１１　　　　ピックアップ
１２　　　　光ディスク
１３　　　　対物レンズ
１５　　　　カバー
１５ａ　　　揺動支点
１５ｂ　　　先端部
１５ｃ　　　作動片
１６　　　　接触片
【図１】
2004118919.tif 000003
【図２】
2004118919.tif 000004
【図３】
2004118919.tif 000005
【図４】
2004118919.tif 000006